(57)【特許請求の範囲】
【請求項１】
多数のパチンコ機が並設されると共にそのほぼ中央部にパチンコ玉を上部タンクに揚送する玉揚送装置を設置し、その玉揚送装置の一側に並設されるパチンコ機から排出されるパチンコ玉を回収する第１の回収通路と、玉揚送装置の他側に並設されるパチンコ機から排出されるパチンコ玉を回収する第２の回収通路と、貯留タンクの上方に設置されるパチンコ機から排出されるパチンコ玉を回収する第３の回収通路と、が接続される貯留タンクが内蔵されたパチンコ島台において、
前記貯留タンクには、前記上部タンクから溢れたパチンコ玉を当該貯留タンクに貯留するように誘導するオーバーフロー搬送樋と、前記第１の回収通路の下流側の一部を構成し且つ当該貯留タンクに貯留されるパチンコ玉と混在しないように当該貯留タンク内に形成されるアウト玉バイパス誘導路と、前記第２の回収通路の下流側の一部を構成し且つ当該貯留タンクに貯留されるパチンコ玉と混在しないように当該貯留タンク内に形成されるアウト玉誘導部と、前記第３の回収通路を構成し且つ当該貯留タンクに貯留されるパチンコ玉と混在しないように当該貯留タンク内に形成される回収樋と、前記アウト玉バイパス誘導路とアウト玉誘導部と回収樋とによってそれぞれ回収されるパチンコ玉が合流し且つ貯留タンクに貯留されるパチンコ玉が合流する第１合流部と、が内部に設けられ、
前記各回収通路によって回収されるパチンコ玉を前記貯留タンクに貯留されるパチンコ玉に優先して前記第１合流部を介して前記玉揚送装置に供給するようにしたことを特徴とするパチンコ島台。
【請求項２】
前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する下流出口よりも、パチンコ玉を玉揚送装置へ導出するための導出口に近い位置に形成したことを特徴とする請求項１記載のパチンコ島台。
【請求項３】
前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する下流出口の上方に形成したことを特徴とする請求項１または請求項２記載のパチンコ島台。
【発明の詳細な説明】
【０００１】
【発明の属する技術分野】
本発明は、多数のパチンコ機が並設されると共にそのほぼ中央部にパチンコ玉を上部タンクに揚送する玉揚送装置を設置し、その玉揚送装置の一側に並設されるパチンコ機から排出されるパチンコ玉を回収する第１の回収通路と、玉揚送装置の他側に並設されるパチンコ機から排出されるパチンコ玉を回収する第２の回収通路と、貯留タンクの上方に設置されるパチンコ機から排出されるパチンコ玉を回収する第３の回収通路と、が接続される貯留タンクが内蔵されたパチンコ島台に関するものである。
【０００２】
【従来の技術】
従来パチンコ島台には、アウト玉及び返却玉を貯留するための大型の貯留タンクが内蔵され、玉揚送装置を挟んだパチンコ島台の両側に列設されるパチンコ機から排出されるパチンコ玉及び貯留タンクの上方に設置されるパチンコ機から排出されるパチンコ玉を回収する回収通路がこの貯留タンクに接続されていた。
【０００３】
しかして、この接続構造は、本出願人が先に出願した特開平１０−３３８１８号（以下、先行技術という）に示されるように、パチンコ島台の一側に列設されるパチンコ機から排出されるパチンコ玉を回収する第１の回収通路と、貯留タンクの上方に設置されるパチンコ機から排出されるパチンコ玉を回収する第３の回収通路を貯留タンクの一端にある中継ボックスで接続する一方、パチンコ島台の他側に列設されるパチンコ機から排出されるパチンコ玉を回収する第２の回収通路と、貯留タンクの上方に設置されるパチンコ機から排出されるパチンコ玉を回収する第３の回収通路を同様に貯留タンクの一端にある中継ボックスで接続し、この２箇所の中継ボックスから延設された２本の優先樋が貯留タンク内の合流部で接続される。このように、パチンコ機から排出されたパチンコ玉は、一旦ぞれぞれの中継ボックスで合流され、中継ボックスから排出されたパチンコ玉は、更に貯留タンク内の合流部で合流された後、貯留タンク内に貯留されるパチンコ玉に優先して玉揚送装置に移送される。
【０００４】
【発明が解決しようとする課題】
パチンコ玉が合流する合流部は、パチンコ玉の玉流れが停滞し易いため、玉詰まり等の点検や修理をする頻度の高い箇所であるが、前述のように合流部が複数設けられていると点検・修理作業が煩雑となり、作業者の負担となっていた。本発明は、上記した事情に鑑みなされたもので、その目的とするところは、パチンコ玉の合流部を一箇所にまとめることでその点検・修理作業が容易に行えると共に、長期間に亘って貯留タンクの内部をきれいに保ち、貯留されたパチンコ玉のスムーズな玉流れを達成することが可能なパチンコ島台を提供することにある。
【０００５】
【課題を解決するための手段】
上記した目的を達成するため、請求項１の発明においては、多数のパチンコ機が並設されると共にそのほぼ中央部にパチンコ玉を上部タンクに揚送する玉揚送装置を設置し、その玉揚送装置の一側に並設されるパチンコ機から排出されるパチンコ玉を回収する第１の回収通路と、玉揚送装置の他側に並設されるパチンコ機から排出されるパチンコ玉を回収する第２の回収通路と、貯留タンクの上方に設置されるパチンコ機から排出されるパチンコ玉を回収する第３の回収通路と、が接続される貯留タンクが内蔵されたパチンコ島台において、前記貯留タンクには、前記上部タンクから溢れたパチンコ玉を当該貯留タンクに貯留するように誘導するオーバーフロー搬送樋と、前記第１の回収通路の下流側の一部を構成し且つ当該貯留タンクに貯留されるパチンコ玉と混在しないように当該貯留タンク内に形成されるアウト玉バイパス誘導路と、前記第２の回収通路の下流側の一部を構成し且つ当該貯留タンクに貯留されるパチンコ玉と混在しないように当該貯留タンク内に形成されるアウト玉誘導部と、前記第３の回収通路を構成し且つ当該貯留タンクに貯留されるパチンコ玉と混在しないように当該貯留タンク内に形成される回収樋と、前記アウト玉バイパス誘導路とアウト玉誘導部と回収樋とによってそれぞれ回収されるパチンコ玉が合流し且つ貯留タンクに貯留されるパチンコ玉が合流する第１合流部と、が内部に設けられ、前記各回収通路によって回収されるパチンコ玉を前記貯留タンクに貯留されるパチンコ玉に優先して前記第１合流部を介して前記玉揚送装置に供給するようにしたことを特徴とするものである。このように構成することにより、各回収通路によって回収されるパチンコ玉と貯留タンクに貯留されるパチンコ玉を第１合流部にまとめることができるため、合流部の点検の簡素化が図れると共に、各回収通路によって回収された使用済みのパチンコ玉が貯留タンクに貯留されるパチンコ玉に優先して玉揚送装置に供給できるため、貯留タンクの内部を長期間に亘ってきれいに保つことができ、貯留されたパチンコ玉のスムーズな玉流れを長期間に亘って維持することができる。
【０００６】
また、請求項２の発明においては、前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する下流出口よりも、パチンコ玉を玉揚送装置へ導出するための導出口に近い位置に形成したことにより、各回収通路によって回収された使用済のパチンコ玉が貯留タンクに貯留されるパチンコ玉に優先して玉揚送装置に供給されるため、貯留タンクの内部を長期間に亘ってきれいに保つことができ、貯留されたパチンコ玉のスムーズな玉流れを長期間に亘って維持することができる。
【０００７】
また、請求項３の発明においては、前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する下流出口の上方に形成したことにより、各回収通路によって回収された使用済のパチンコ玉が貯留タンクに貯留されるパチンコ玉に優先して玉揚送装置に供給されるため、貯留タンクの内部を長期間に亘ってきれいに保つことができ、貯留されたパチンコ玉のスムーズな玉流れを長期間に亘って維持することができる。
【０００８】
【０００９】
【発明の実施の形態】
以下、図面を参照して本発明の実施形態について説明する。まず、図１を参照して、本実施形態に係るパチンコ島台１の概略構成について説明する。図１は、本実施形態に係るパチンコ島台１の内部を示す側面図である。
【００１０】
図において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。また、パチンコ島台１には、図示しないが、前記カード等の取込，排出をおこなう取込排出装置、獲得玉数等を表示する情報表示部、及び景品玉をレシートまたはカード等に交換する景品交換装置が各パチンコ機２毎に設けられている。また、図において、玉受け部５０の上方には、パチンコ機２毎に遊技により獲得した景品玉を計数する計数器が設けられている。各パチンコ機２毎に上記のような各種の装置が設けられているため、獲得した景品玉数を即座に知ることができると共に、その玉数をレシートまたはカード等に記憶させて景品と交換することができるので、パチンコ玉を景品交換所に運ぶ必要がない。更に、前記カードにはカードを識別するために必要なＩＤ番号が記憶されていると共に、各パチンコ機２毎にカード盗難防止装置が設けられているので、カードが悪用されたり、盗難される心配がない。
【００１１】
また、パチンコ島台１のほぼ中央には、玉揚送装置４が収納される玉揚送装置収納部５が立設されている。本実施形態に係る玉揚送装置４は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出樋４ｂから次に説明する上部タンク６に排出するものである。
【００１２】
玉揚送装置４の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉揚送装置４により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、図示しないオーバーフローボックスを介してパチンコ島台１の下部にある貯留タンク９のオーバーフロー搬送樋２９に誘導されるようになっている。オーバーフロー搬送樋２９に誘導されたパチンコ玉は、オーバーフロー搬送樋２９の下流端から貯留タンク９の底板２０へ落下し、貯留タンク９に貯留されることとなるが、この貯留タンク９に貯留されたパチンコ玉は、玉揚送装置４により研磨されているため、常にきれいにされた状態のパチンコ玉である。なお、オーバーフローボックスは、玉揚送装置収納部５に一体的に形成されている。
【００１３】
また、補給樋８には、各パチンコ機２にパチンコ玉を誘導する分配シュート（図示しない）が各パチンコ機２に対応して設けられている。分配シュートにより取り込まれたパチンコ玉は、分配シュートの下方に位置する計数装置（図示しない）により玉数が計数された後、パチンコ機２の背面上部に設けられた賞球タンク（図示しない）あるいは台間玉貸機３に供給され、景品玉や遊技玉として使用される。
【００１４】
一方、パチンコ機２から排出される使用済玉は、計数機能を有するアウト玉回収ボックス５１から下方に排出される。アウト玉回収ボックス５１から排出されたパチンコ玉は、玉受け部５０を介してパチンコ島台１の両端部からそのほぼ中央に立設される玉揚送装置４の下部に向けて下り傾斜状に設けられる第１アウト玉回収樋１０（第１の回収通路の一部）及び第２アウト玉回収樋１１（第２の回収通路の一部）に落下せしめられる。ただし、次に説明する貯留タンク９の上方に設置されるパチンコ機２のアウト玉回収ボックス５１から排出されるパチンコ玉は、貯留タンク９内に設けられる右回収樋２６，左回収樋２７（第３の回収通路）に落下せしめられる。なお、玉受け部５０は、アウト玉回収ボックス５１から排出されるパチンコ玉等を間接的に受け止めた後に第１アウト玉回収樋１０及び第２アウト玉回収樋１１に誘導するものである。
【００１５】
また、パチンコ機２の下部には、パチンコ島台１に対してほぼ直交するように外側に向かってカウンター台１２が突設されているが、該カウンター台１２には、遊技者が獲得した景品玉を返却する機能が付設されており、返却された景品玉は、パチンコ機から排出された使用済玉と同様に玉受け部５０を介して第１アウト玉回収樋１０及び第２アウト玉回収樋１１に落下せしめられる。なお、第１アウト玉回収樋１０及び第２アウト玉回収樋１１は、図１に示すように、簀の子状の誘導レールがパチンコ島台１の中央に長手方向に沿って敷設されると共に、図１に示すように第１アウト玉回収樋１０の下流側の一部は、貯留タンク９内に設けられるようになっており、第２アウト玉回収樋１１は、第２連結樋４４を介して貯留タンク９の第２アウト玉導入口４３に接続されている。
【００１６】
更に、貯留タンク９の下流側の外れた上方位置に設置される１台のパチンコ機２から排出されるパチンコ玉は、貯留タンク９の第１アウト玉導入口４１に接続される外部回収通路１３に落下せしめられる。なお、多くの場合、貯留タンク９の下流側の外れた上方位置に設置されるパチンコ機２の台数は、図に示す実施形態と同様に１台であるが、必ずしも１台に限定されるわけではない。
【００１７】
図示の実施形態においては、玉揚送装置４の一側側方には貯留タンク９が設けられているが、貯留タンク９は、パチンコ機２の横幅寸法の約２〜３台分に相当する長さに形成されており、パチンコ島台１に設置される複数のパチンコ機２の各種の遊技状態に必要とされる玉量に十分対処し得る程度の大きさに設計されている。
【００１８】
そこで、貯留タンク９のより詳細な構造について図２及び図３を参照して説明する。図２は、貯留タンク９の内部を透写した状態の斜視図であり、図３は、貯留タンク９内のパチンコ玉の第１合流部３１を透写した状態の拡大斜視図である。
【００１９】
貯留タンク９は、パチンコ島台１のカウンター台１２より下方の下部空間に設置される上面が開放した直方体状のタンク基台によって構成されている。タンク基台は、底板２０と側板２１と後板２２と前板２３とからなり、底板２０は、後板２２から前板２３に向かって下り傾斜していると共に、右側の側板２１（図示省略）に向かっても僅かに下り傾斜しており、その傾斜に沿って底板２０と右側の側板２１とによる隅角部に、後に詳述する貯留玉バイパス誘導路２４及びアウト玉バイパス誘導路２５が設けられている。
【００２０】
また、底板２０の下流端は、前板２３と間隔を持って設けられ、貯留玉バイパス誘導路２４の下流端とほぼ一致する位置に形成されている。この底板２０の下流端端面からは、第１合流部３１を形成する合流底板４２が前板２３に向かって下方に傾斜して設けられ、その第１合流部３１の末端部に相当する前板２３には、導出口３３が開設される。この導出口３３の外側には、玉揚送装置４の導入樋４ａに接続される第１連結樋３４（図１参照）が止着されるようになっている。また、タンク基台の底板２０の下流端には、底板２０を流下するパチンコ玉をその傾斜にしたがって導くためのほぼ三角状の誘導板（図示しない）が固着されており、その誘導板の誘導先に前記第１合流部３１が形成されている。
【００２１】
また、貯留タンク９の内部には、その上部の長手方向右側に右回収樋２６、長手方向左側に左回収樋２７が所定の間隔を持って設けられている。この右回収樋２６及び左回収樋２７は、後板２２側から前板２３側に向かって下り傾斜しており、その傾斜下端である前板２３側の端面は前板２３と間隔を持って設けられている。また、右回収樋２６及び左回収樋２７の貯留タンク９の内側方向の端面には、上方に向かってそれぞれ誘導仕切板２８が設けられており、この誘導仕切板２８と右回収樋２６及び左回収樋２７により、パチンコ玉を誘導する空間が形成されている。誘導仕切板２８には、前端下部に切欠部２８ａが設けられ、その切欠部２８ａの長手方向端部は回収樋２６，２７の下流端（前端）とほぼ同じ位置に形成されている。
【００２２】
ところで、右回収樋２６には、パチンコ島台１の右回収樋２６側で、貯留タンク９の上方位置に設置されたパチンコ機２から排出される使用済玉が回収され、左回収樋２７には同じくパチンコ島台１の左回収樋２７側で、貯留タンク９の上方位置に設置されたパチンコ機２から排出される使用済玉が回収される。なお、右回収樋２６と左回収樋２７とが第３の回収通路を構成するものである。
【００２３】
また、前記した２枚の誘導仕切板２８の間には、貯留タンク９の前板２３から後板２２に向かって下り傾斜するオーバーフロー搬送樋２９が設けられている。オーバーフロー搬送樋２９の前板２３側には、オーバーフロー搬送樋２９の上流端を載置固定するためのオーバーフロー搬送樋固定板３０が設けられ、オーバーフロー搬送樋２９の後板２２側の端面は、後板２２と間隔を持って設けられている。そして、オーバーフロー搬送樋２９及び誘導仕切板２８により、オーバーフローボックスから排出されたパチンコ玉を誘導する空間が形成されている。オーバーフロー搬送樋２９には、玉揚送装置４により研磨されオーバーフローボックスに誘導された研磨済のパチンコ玉がオーバーフローボックスから排出され、その排出されたパチンコ玉は、誘導仕切板２８とオーバーフロー搬送樋２９との隙間、及びオーバーフロー搬送樋２９の下流端部にある後板２２とオーバーフロー搬送樋２９との隙間から貯留タンク９の貯留空間へ落下せしめられる。
【００２４】
また、貯留タンク９の下流端部であって、前記回収樋２６，２７の下方には回収樋２６，２７の端部から下方に向かって圧抜き板４０が垂直に設けられている。この圧抜き板４０は、貯留タンク９の両側板２１間に亘って前板２３と平行状に設けられ、その下部一側の前記アウト玉バイパス誘導路２５の上方部分ではアウト玉バイパス誘導路２５の上面と間隔を持つような切欠部４０ａが形成されている。この圧抜き板４０は、パチンコ玉が多量に貯留されている場合に、貯留玉バイパス誘導路２４，アウト玉バイパス誘導路２５を流下するパチンコ玉以外のパチンコ玉であって、貯留タンク９に貯留されているパチンコ玉の第１合流部３１への流出を確実に行うためのものであると共に、第１合流部３１が貯留玉の玉圧を受けないように形成し、第２アウト玉回収樋１１及び回収樋２６，２７から回収されるパチンコ玉をスムーズに第１合流部３１に合流させるものである。
【００２５】
ところで、上記した第１合流部３１の上流側には、貯留タンク９の隅角部に敷設されるアウト玉バイパス誘導路２５及び貯留玉バイパス誘導路２４の流下端が臨むようになっている。アウト玉バイパス誘導路２５及び貯留バイパス誘導路２４は、上下に積層状に構成されるが、下段の貯留バイパス誘導路２４は、貯留タンク９の長手方向寸法より若干短い長さであってその上流入口２４ａが貯留タンク９の上流部分に臨むと共にその下流出口２４ｂが第１合流部３１から上流方向にやや離れた位置に臨むようになっている。一方、上段のアウト玉バイパス誘導路２５は、その上流端が貯留タンク９の後板２２に接続されて前記第１アウト玉回収樋１０に連通しており、その第１排出口２５ａが第１合流部３１の上流側の直前位置に臨むようになっている。つまり、アウト玉バイパス誘導路２５の第１排出口２５ａが貯留玉バイパス誘導路２４の下流出口２４ｂよりも上方であってより下流側に臨むようになっている。なお、図示しないが、貯留玉バイパス誘導路２４の中程にも貯留玉を取り入れる取入口が形成されており、貯留タンク９に貯留されているパチンコ玉であって貯留タンク９の上流部及び中流部に滞留しているパチンコ玉を取り込んで下流側に導き、長時間に亘って滞留玉が一か所に滞ることがないようにしている。また、アウト玉バイパス誘導路２５と貯留玉バイパス誘導路２４とを必ずしも上下に重複させる必要はなく、分離して貯留タンク９内にしてもよいが、この場合でもアウト玉バイパス誘導路２５を流下するパチンコ玉が優先して第１合流部３１に導かれるようにすればよい。
【００２６】
このように、アウト玉バイパス誘導路２５の第１排出口２５ａを貯留玉バイパス誘導路２４の下流出口２４ｂ及び底板２０を転動する玉の出口よりも下流側で且つ上部に位置させることにより、アウト玉バイパス誘導路２５から排出されるパチンコ玉が、貯留玉バイパス誘導路２４から排出されるパチンコ玉及び底板２０を転動するパチンコ玉を上から覆うように堆積されるため、アウト玉バイパス誘導路２５から排出されるパチンコ玉が貯留タンク９に貯留されるパチンコ玉よりも優先的に第１合流部３１に導かれ、第１アウト玉回収樋１０に使用済みのパチンコ玉が滞留しないようになっている。なお、貯留玉バイパス誘導路２４の下流出口２４ｂ及び底板２０を転動するパチンコ玉の出口から流出するパチンコ玉の第１合流部３１への誘導においては、それらの間に優劣はなく均等に導かれるものである。また、上記した構成のうち、第１アウト玉回収樋１０とアウト玉バイパス誘導路２５とが第１の回収通路を構成するものである。
【００２７】
ところで、上記した圧抜き板４０と前板２３との間の空間は、仕切板３５により区画され、その前板２３側はアウト玉誘導部３６を、圧抜き板４０側は第２合流部３２を形成している。このアウト玉誘導部３６と第２合流部３２とについて、以下、詳細に説明する。
【００２８】
まず、アウト玉誘導部３６は、第２アウト玉回収樋１１によって回収されるパチンコ玉を、アウト玉誘導部３６のパチンコ玉の出口である第２排出口３９ａを介して第１合流部３１へスムーズに誘導するためのものであり、第１誘導板３７と仕切板３５と区画壁３８とアウト玉誘導樋３９と前板２３とから形成されている。
【００２９】
第１誘導板３７は、誘導仕切板２８の切欠部２８ａの下面に沿って前板２３から貯留タンク９の内側に向かって誘導仕切板２８の切欠部２８ａのほぼ中央まで下り傾斜して固着されており、その上流端に対応する前板２３には、第１アウト導入口４１が開設されている。この第１アウト導入口４１は、前記オーバーフロー搬送樋固定板３０の下方に位置し、前記外部回収通路１３（図１参照）によって回収されるパチンコ玉を第１誘導板３７上へ導入するものである。そして、第１誘導板３７は、外部回収通路１３へ導入されたパチンコ玉を第１アウト導入口４１から後述する第２誘導板４５へスムーズに誘導するためのものである。
【００３０】
仕切板３５は、上記した第１誘導板３７の流下端から前記前板２３と平行状に設けられるものであり、その第１合流部３１を構成する部分には切欠部３５ａが形成されている。切欠部３５ａの幅寸法は、合流底板４２の幅寸法より若干小さく、高さ位置は、前記圧抜き板４０の切欠部４０ａの高さ位置とほぼ同じである。
【００３１】
また、区画板３８は、前板２３の外側面から見て中央よりやや左寄りの位置に、前板２３から圧抜き板４０に亘って設けられており、第１誘導板３７の下面から下方に向かって垂直に設けられる。
【００３２】
また、アウト玉誘導樋３９は、前板２３から仕切板３５に亘って設けられており、区画板３８から合流底板４２に向かって下り傾斜して形成されると共に、その下流端は、第１合流部３１に臨むように形成されている。前板２３には、第２アウト導入口４３が開設され、この第２アウト導入口４３の外側には、第２連接樋４４（図１参照）が止着されている。第２連接樋４４は、第２アウト玉回収樋１１によって回収されるパチンコ玉を貯留タンク９に導くものである。以上のように第２アウト玉導入口４３によって導かれたパチンコ玉は、アウト玉誘導樋３９及び仕切板３５により第１合流部３１へスムーズに誘導される。なお、上記した構成のうち第２アウト玉回収樋１１と第２連接樋４４とアウト玉誘導部３６とが第２の回収通路を構成するものである。
【００３３】
次に、第２合流部３２は、左回収樋２７から回収されるパチンコ玉と右回収樋２６から回収されるパチンコ玉を事前に合流させ、その後第１合流部３１へスムーズに合流するためのものであり、仕切板３５と圧抜き板４０との間に第２誘導板４５，第３誘導板４６，第４誘導板４７とが段差状に交互に逆向き傾斜して設けられている。上段に固定される第２誘導樋４５は、左側の側板２１から右回収樋２６に向かって下り傾斜しており、前記左回収樋２７及び前記第１誘導板３７に導かれたパチンコ玉を中段に固定される第３誘導板４６に導く。この中段に固定される第３誘導板４６は、右側の側板２１側（図示省略）から区画板３８の中程に向かって下り傾斜しており、前記第２誘導板４５及び右回収樋２６に導かれたパチンコ玉を下段に固定される第４誘導板４７に導く。下段に固定される第４誘導板４７は、区画板３８から合流底板４２に向かって下り傾斜しており、前記第３誘導板４６に導かれたパチンコ玉を、第２合流部３２のパチンコ玉の出口である第３排出口４７ａを介して第１合流部３１に導くようになっている。
【００３４】
以上のように、回収樋２６，２７及び第１アウト玉導入口４１から導入されたパチンコ玉は、第１誘導板３７及び第２合流部３２を構成する第２誘導板４５，第３誘導板４６及び第４誘導板４７によりスムーズに第１合流部３１に誘導される。なお、上記した第２誘導板４５乃至第４誘導板４７の上面全体には、落下してきたパチンコ玉の衝撃を緩和する緩衝部材４８（ゴムまたは合成樹脂で形成されている）が貼着されている。
【００３５】
以上、貯留タンク９の詳細な構造について説明してきたが、本実施形態によれば、各回収通路によって回収されるパチンコ玉と貯留タンク９に貯留されるパチンコ玉を第１合流部３１にまとめることができるため、合流部３１，３２の点検の簡素化が図れると共に、各回収通路によって回収された使用済みのパチンコ玉が貯留タンク９に貯留されるパチンコ玉に優先して玉揚送装置４に供給できるため、貯留タンク９の内部を長期間に亘ってきれいに保つことができ、貯留されたパチンコ玉のスムーズな玉流れを長期間に亘って維持することができる。また、本実施形態においては、第１の回収通路１０，２５，第２の回収通路１１，４４及び第３の回収通路２６，２７からのパチンコ玉を第１合流部３１へ排出するそれぞれ第１排出口２５ａ，第２排出口３９ａ，第３排出口４７ａは、貯留タンク９に貯留されるパチンコ玉を第１合流部３１へ排出する下流出口２４ｂよりも、パチンコ玉を玉揚送装置４へ導出するための導出口３３に近い位置に形成し、また、下流出口２４ｂの上方に形成したことにより、第１合流部３１に導かれたパチンコ玉が貯留タンク９に貯留されるパチンコ玉に優先して玉揚送装置４に供給することができる。更に、第１排出口２５ａ，第２排出口３９ａ，第３排出口４７ａ、下流出口２４ｂ、及び第１合流部３１は、貯留タンク９内に一体的に構成したことにより、各回収通路を流れるパチンコ玉及び貯留タンク９に貯留されるパチンコ玉の流れの調整を、第１合流部３１において一元的に調整，管理することができると共に、貯留タンク９の製造コストの低減を図ることができる。
【００３６】
【発明の効果】
以上説明したところから明らかなように、請求項１の発明においては、多数のパチンコ機が並設されると共にそのほぼ中央部にパチンコ玉を上部タンクに揚送する玉揚送装置を設置し、その玉揚送装置の一側に並設されるパチンコ機から排出されるパチンコ玉を回収する第１の回収通路と、玉揚送装置の他側に並設されるパチンコ機から排出されるパチンコ玉を回収する第２の回収通路と、貯留タンクの上方に設置されるパチンコ機から排出されるパチンコ玉を回収する第３の回収通路と、が接続される貯留タンクが内蔵されたパチンコ島台において、前記貯留タンクには、前記上部タンクから溢れたパチンコ玉を当該貯留タンクに貯留するように誘導するオーバーフロー搬送樋と、前記第１の回収通路の下流側の一部を構成し且つ当該貯留タンクに貯留されるパチンコ玉と混在しないように当該貯留タンク内に形成されるアウト玉バイパス誘導路と、前記第２の回収通路の下流側の一部を構成し且つ当該貯留タンクに貯留されるパチンコ玉と混在しないように当該貯留タンク内に形成されるアウト玉誘導部と、前記第３の回収通路を構成し且つ且つ当該貯留タンクに貯留されるパチンコ玉と混在しないように当該貯留タンク内に形成される回収樋と、前記アウト玉バイパス誘導路とアウト玉誘導部と回収樋とによってそれぞれ回収されるパチンコ玉が合流し且つ貯留タンクに貯留されるパチンコ玉が合流する第１合流部と、が内部に設けられ、前記各回収通路によって回収されるパチンコ玉を前記貯留タンクに貯留されるパチンコ玉に優先して前記第１合流部を介して前記玉揚送装置に供給するようにしたので、各回収通路によって回収されるパチンコ玉と貯留タンクに貯留されるパチンコ玉を第１合流部にまとめることができるため、合流部の点検の簡素化が図れると共に、各回収通路によって回収された使用済みのパチンコ玉が貯留タンクに貯留されるパチンコ玉に優先して玉揚送装置に供給できるため、貯留タンクの内部を長期間に亘ってきれいに保つことができ、貯留されたパチンコ玉のスムーズな玉流れを長期間に亘って維持することができる。
【００３７】
また、請求項２の発明においては、前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する第２流下出口よりも、パチンコ玉を玉揚送装置へ導出するための導出口に近い位置に形成したことにより、各回収通路によって回収された使用済のパチンコ玉が貯留タンクに貯留されるパチンコ玉に優先して玉揚送装置に供給されるため、貯留タンクの内部を長期間に亘ってきれいに保つことができ、貯留されたパチンコ玉のスムーズな玉流れを長期間に亘って維持することができる。
【００３８】
また、請求項３の発明においては、前記アウト玉バイパス誘導路，アウト玉誘導部及び回収樋からのパチンコ玉を前記第１合流部へ排出するそれぞれ第１排出口，第２排出口，第３排出口は、前記貯留タンクに貯留されるパチンコ玉を前記第１合流部へ排出する第２流下出口の上方に形成したことにより、各回収通路によって回収された使用済のパチンコ玉が貯留タンクに貯留されるパチンコ玉に優先して玉揚送装置に供給されるため、貯留タンクの内部を長期間に亘ってきれいに保つことができ、貯留されたパチンコ玉のスムーズな玉流れを長期間に亘って維持することができる。
【００３９】
【図面の簡単な説明】
【図１】実施形態に係るパチンコ島台の内部を示す側面図である。
【図２】貯留タンクの内部を透視した状態の斜視図である。
【図３】貯留タンクの内部の合流部分の拡大斜視図である。
【符号の説明】
１  パチンコ島台
２  パチンコ機
４  玉揚送装置
９  貯留タンク
１０  第１アウト玉回収通路（第１の回収通路）
１１  第２アウト玉回収通路（第２の回収通路）
１３  外部回収通路
２４  貯留玉バイパス誘導路
２４ａ  上流入口
２４ｂ  下流出口
２５  アウト玉バイパス誘導路（第１の回収通路）
２５ａ  第１排出口
２６  右回収樋（第３の回収通路）
２７  左回収樋（第３の回収通路）
３１  第１合流部（合流部）
３２  第２合流部
３３  導出口
３６  アウト玉誘導部
３９ａ  第２排出口
４０  圧抜き板
４２  合流底板
４４  第２連結樋（第２の回収通路）
４７ａ  第３排出口
５０  玉受け部
【図１】
0004491867.tif 000002
【図２】
0004491867.tif 000003
【図３】
0004491867.tif 000004